(57)【要約】【課題】電磁接触器内への微小異物の侵入を防ぎ、接点の導通不良や電磁石の動作不良の発生を低減することができる電磁接触器を得ること。【解決手段】可動接触子５の前方の縦壁２ａ間を覆う前面カバー３ａと、該前面カバーから突出し前記縦壁間に挿入されて上下の固定接触子１のそれぞれの端子１ｂの中央側端部１ｅまで延在する一対の縦壁間カバー３ｃとを有し、固定接点１ｄ及び可動接点５ｄを覆うアークカバー３を備えた電磁接触器１００において、前記縦壁に前記縦壁間カバーの側部３ｄを嵌合する溝２ｅを設け、前記一対の縦壁間カバーの先端部３ｅを前記上下の固定接触子のそれぞれの端子の中央側端部の奥まで延在させ、前記縦壁間カバーの上面３ｆに、前記縦壁間カバーの側部及び先端部から該縦壁間カバーの中央部に向けて下り勾配となる傾斜面３ｇを設けた。【選択図】        図２
2006310184.tif 000002
【特許請求の範囲】
【請求項１】
少なくとも２枚の前後方向の縦壁を有するハウジングと、
前記縦壁間の上部に配置され前記ハウジングの前方を向く端子及び前記縦壁間の中央部寄りに配置される固定接点を有する上部固定接触子と、
前記縦壁間の下部に配置され前記ハウジングの前方を向く端子及び前記縦壁間の中央部寄りに配置される固定接点を有する下部固定接触子と、
前記縦壁間の中央部に配置され前記上下の固定接点に対向して配置される一対の可動接点を有する可動接触子と、
前記可動接触子の前方の前記縦壁間を覆う前面カバーと、該前面カバーから突出し前記縦壁間に挿入されて前記上下の固定接触子のそれぞれの端子の中央側端部まで延在する一対の縦壁間カバーとを有し、前記固定接点及び可動接点を覆うアークカバーと、
を備えた電磁接触器において、
前記縦壁に前記縦壁間カバーの側部を嵌合する溝を設け、前記一対の縦壁間カバーの先端部を前記上下の固定接触子のそれぞれの端子の中央側端部の奥まで延在させ、前記縦壁間カバーの上面に、前記縦壁間カバーの側部及び先端部から該縦壁間カバーの中央部に向けて下り勾配となる傾斜面を設けたことを特徴とする電磁接触器。
【請求項２】
前記縦壁間カバーの上面の中央部には傾斜溝が形成され、該傾斜溝は前記前面カバーに向かって下り勾配となっていることを特徴とする請求項１に記載の電磁接触器。
【請求項３】
前記傾斜溝の前方の前面カバーに、該傾斜溝と連通する開口を設けたことを特徴とする請求項２に記載の電磁接触器。
【請求項４】
前記傾斜溝の前面カバー側に、落し穴を設けたことを特徴とする請求項２に記載の電磁接触器。
【請求項５】
前記落し穴の前方の前面カバーに、該落し穴と連通する開口を設けたことを特徴とする請求項４に記載の電磁接触器。
【請求項６】
少なくとも２枚の前後方向の縦壁を有するハウジングと、
前記縦壁間の上部に配置され前記ハウジングの前方を向く端子及び前記縦壁間の中央部寄りに配置される固定接点を有する上部固定接触子と、
前記縦壁間の下部に配置され前記ハウジングの前方を向く端子及び前記縦壁間の中央部寄りに配置される固定接点を有する下部固定接触子と、
前記縦壁間の中央部に配置され前記上下の固定接点に対向して配置される一対の可動接点を有する可動接触子と、
前記可動接触子の前方の前記縦壁間を覆う前面カバーと、該前面カバーから突出し前記縦壁間に挿入されて前記上下の固定接触子のそれぞれの端子の中央側端部まで延在する一対の縦壁間カバーとを有し、前記固定接点及び可動接点を覆うアークカバーと、
を備えた電磁接触器において、
前記縦壁に前記縦壁間カバーの側部を嵌合する溝を設け、前記一対の縦壁間カバーの先端部を前記上下の固定接触子のそれぞれの端子の中央側端部の奥まで延在させ、前記縦壁間カバーの上面には、矩形の凹部を設け、該凹部の側方縁部が前記溝内に入り込み、先端縁部が前記端子の中央側端部の奥へ入り込んでいることを特徴とする電磁接触器。
【請求項７】
前記凹部の前方の前面カバーに、該凹部に連通する開口を設けたことを特徴とする請求項６に記載の電磁接触器。
【請求項８】
前記開口を粘着シールで塞いだことを特徴とする請求項３、５又は７に記載の電磁接触器。
【発明の詳細な説明】
【技術分野】
【０００１】
本発明は、アークカバーを備えた電磁接触器に関するものである。
【背景技術】
【０００２】
従来の電磁接触器の防塵装置として、消弧室カバー（アークカバー）の消孤隔壁（縦壁間カバー）にあけられたガス抜きの穴の内側に、前記消孤隔壁と平行にかつこれと適宜の間隔を介して短冊状の異物侵入防止壁が設けられた電磁接触器の防塵装置において、異物侵入防止壁の消孤隔壁と対向する面の周囲にリブを土手状に巡らせ、該リブを一部を除いて前記消弧隔壁まで縦壁間カバー状に延ばし、ガス抜き穴を通して異物侵入防止壁上に落ちた異物がリブの内側に形成された凹部内に捕捉され、振動などが生じてもその周りから電磁接触器内に脱落しないようにしたものがある（例えば、特許文献１参照）。
【０００３】
【特許文献１】特開平０５−００２９６２号公報
【発明の開示】
【発明が解決しようとする課題】
【０００４】
しかしながら、上記従来の技術によれば、消弧隔壁とケースとの間の隙間、及び、消弧隔壁と固定接触子との間の隙間から、固定接触子の端子へ接続される電線の屑、電線被覆の屑、配線作業者の皮膚等の非導電性又は磁性を有する微小異物が電磁接触器内に侵入していた。そのため、微小異物が、接点の導通不良や電磁石の動作不良を引き起こすという問題があった。量産される電磁接触器においては、組立嵌合不良を避けるため、部品寸法をマイナス公差とせざるを得ず、前記の隙間を小さくするにも限界があった。
【０００５】
本発明は、上記に鑑みてなされたものであって、電磁接触器内への微小異物の侵入を防ぎ、接点の導通不良や電磁石の動作不良の発生を低減することができる電磁接触器を得ることを目的とする。
【課題を解決するための手段】
【０００６】
上述した課題を解決し、目的を達成するために、本発明は、少なくとも２枚の前後方向の縦壁を有するハウジングと、前記縦壁間の上部に配置され前記ハウジングの前方を向く端子及び前記縦壁間の中央部寄りに配置される固定接点を有する上部固定接触子と、前記縦壁間の下部に配置され前記ハウジングの前方を向く端子及び前記縦壁間の中央部寄りに配置される固定接点を有する下部固定接触子と、前記縦壁間の中央部に配置され前記上下の固定接点に対向して配置される一対の可動接点を有する可動接触子と、前記可動接触子の前方の前記縦壁間を覆う前面カバーと、該前面カバーから突出し前記縦壁間に挿入されて前記上下の固定接触子のそれぞれの端子の中央側端部まで延在する一対の縦壁間カバーとを有し、前記固定接点及び可動接点を覆うアークカバーと、を備えた電磁接触器において、前記縦壁に前記縦壁間カバーの側部を嵌合する溝を設け、前記一対の縦壁間カバーの先端部を前記上下の固定接触子のそれぞれの端子の中央側端部の奥まで延在させ、前記縦壁間カバーの上面に、前記縦壁間カバーの側部及び先端部から該縦壁間カバーの中央部に向けて下り勾配となる傾斜面を設けたことを特徴とする。
【発明の効果】
【０００７】
この発明によれば、微小異物が縦壁間カバーの上面に落下すると、その微小異物は傾斜面により縦壁間カバーの中央部に移動するので、縦壁間カバーの側部と縦壁の溝との間、及び、端子の中央側端部と縦壁間カバーの先端部との間に微小隙間があっても、電磁接触器の振動等によって、微小異物が微小隙間を通って電磁接触器内に侵入することはなく、接点の導通不良や電磁石の動作不良の発生を低減した電磁接触器が得られるという効果を奏する。
【発明を実施するための最良の形態】
【０００８】
以下に、本発明にかかる電磁接触器の実施の形態を図面に基づいて詳細に説明する。なお、この実施の形態によりこの発明が限定されるものではない。
【０００９】
実施の形態１．
図１は、本発明にかかる電磁接触器の実施の形態１を示す接触子部分の斜視図であり、図２は、図１のＩ−Ｉ線に沿う断面図であり、図３は、図１のII−IIに沿う断面図である。
【００１０】
図１〜図３に示すように、電磁接触器１００のハウジング２は、樹脂成型により全体外形が直方体状に形成され、上下合計８枚の前後方向の縦壁としての仕切壁２ａと前後方向の縦壁としての２枚の外壁２ｇによって５相の接触子を設置する縦壁間空間２ｂに仕切られている。縦壁間空間２ｂの上部及び下部には、固定接触子１を保持する棚状の端子保持部２ｃが形成され、縦壁間空間２ｂの中央部には、後述のクロスバー８を、図１の左右方向へ摺動可能に支持する棚状のクロスバー支持部２ｄが形成されている。図１に示すように、ハウジング２の縦壁間空間２ｂの上下及び前方は開放されている。
【００１１】
固定接触子１は、金属板状の本体部１ａと、本体部１ａを９０°折り曲げてハウジング２の前方を向くように形成され、縦壁間空間２ｂの上部及び下部に配置されて図示しない端子ねじが装着されるねじ穴１ｃが設けられた端子１ｂと、縦壁間空間２ｂの中央部寄りに配置される固定接点１ｄとを有している。可動接触子５は、中央部が凸状に折り曲げられた金属片で形成され、縦壁間空間２ｂの中央部に配置され、上下両端に、上下の固定接点１ｄに対向して配置される一対の可動接点５ｄを有している。図２及び図３は、電磁接触器１００の上半分のみしか図示していないが、下半分は上半分と線対称となっている。
【００１２】
クロスバー８は、クロスバー支持部２ｄに嵌合されて支持され、図示しない電磁石の可動コアに接続され、可動コアが電磁石に吸引されると、図１及び図３の左方へ摺動するようになっている。クロスバー８には、図２及び図３に示すように、各縦壁間空間２ｂに対応する位置に上下方向の貫通角孔８ａが設けられ、可動接触子５が貫通角孔８ａに挿通され、可動接触子５の中央凸部が貫通角孔８ａ内に位置している。
【００１３】
接触ばね７は、図３に示すように貫通角孔８ａ内に設置されて、可動接触子５を図３の左方向へ押圧している。接触ばね７は、クロスバー８が図１及び図３の左方向へ摺動して可動接点５ｄが固定接点１ｄに当接した後、クロスバー８の移動によって圧縮され圧縮反力により可動接点５ｄを固定接点１ｄに押圧し、接触圧力を付与して接点間を閉路する。電磁石への給電が断たれると、図示しない引離しばねによってクロスバー８が右方向へ押し戻され、可動接点５ｄが固定接点１ｄから引離されて接点間が開路される。
【００１４】
接点開閉時に発生するアークの外部への放出を防ぐための樹脂成型されたアークカバー３は、ハウジング２の中央部の可動接触子５の前方の縦壁間空間２ｂを覆う矩形板状の前面カバー３ａと、ハウジング２の外壁２ｇに係合する係止部３ｂと、前面カバー３ａの上下端部から略直角に突出するように形成され、各縦壁間空間２ｂに挿入されて端子１ｂの中央側端部１ｅの奥まで延在する縦壁間カバー３ｃとを有している。前面カバー３ａと縦壁間カバー３ｃとで縦壁間空間２ｂ内の中央部の固定接点及び可動接点が配置された接点開閉空間２ｆを覆っている。縦壁２ａに設けられた前後方向の溝２ｅに、縦壁間カバー３ｃの側部３ｄが嵌合され、縦壁間カバー３ｃの先端部３ｅは、端子１ｂの中央側端部１ｅに接触するとともに中央側端部１ｅの奥まで延在している。
【００１５】
縦壁間カバー３ｃの上面（外面）３ｆには、側部３ｄ及び先端部３ｅから中央部に向けて下り勾配となる傾斜面３ｇ、３ｇ、３ｇが設けられ、中央部には、一段低い傾斜溝３ｈが形成され、傾斜溝３ｈは、前面カバー３ａに向かって下り勾配となっている。
【００１６】
実施の形態１の電磁接触器１００によれば、微小異物がアークカバー３の縦壁間カバー３ｃの上面３ｆ上に落下すると、その微小異物は、傾斜面３ｇ、３ｇ、３ｇにより縦壁間カバー３ｃの中央部に移動し、傾斜溝３ｈに落下し、傾斜溝３ｈ内を移動して傾斜溝３ｈの前面カバー３ａ側に集められる。従って、縦壁間カバー３ｃの側部３ｄと縦壁２ａの溝２ｅとの間、及び、端子１ｂの中央側端部１ｅと縦壁間カバー３ｃの先端部３ｅとの間に微小隙間があっても、電磁接触器１００の振動等によって、微小異物が微小隙間を通って電磁接触器内に入り込むことはなく、接点１ｄ、５ｄの導通不良や電磁石の動作不良の発生を低減することができる電磁接触器１００が得られるという効果を奏する。
【００１７】
実施の形態２．
図４は、本発明にかかる電磁接触器の実施の形態２を示す接触子部分の断面図である。図４において、図１〜図３に示すものと同等のものには、同一の符号を付して詳細な説明を省略する。
【００１８】
実施の形態２の電磁接触器２００が実施の形態１の電磁接触器１００と異なるところは、アークカバー３の縦壁間カバー３ｃの傾斜溝３ｈの前面カバー３ａ側に落し穴３ｉを設けていることである。
【００１９】
実施の形態２の電磁接触器２００によれば、微小異物がアークカバー３の縦壁間カバー３ｃの上方から縦壁間カバー３ｃの外面３ｆ上に落下すると、その微小異物は、傾斜面３ｇ、３ｇ、３ｇにより縦壁間カバー３ｃの中央部に移動し、傾斜溝３ｈに落下し、傾斜溝３ｈ内を移動して落し穴３ｉに落ちて捕獲される。従って、縦壁間カバー３ｃの側部３ｄと縦壁２ａの溝２ｅとの間、及び、端子１ｂの中央側端部１ｅと縦壁間カバー３ｃの先端部３ｅとの間に微小隙間があっても、電磁接触器２００の振動等によって、微小異物が微小隙間を通って電磁接触器内に入り込むことはなく、確実に、接点１ｄ、５ｄの導通不良や電磁石の動作不良の発生を低減することができる電磁接触器２００が得られるという効果を奏する。
【００２０】
実施の形態３．
図５は、本発明にかかる電磁接触器の実施の形態３を示す接触子部分の斜視図であり、図６は、図５のＩ−Ｉ線に沿う断面図である。図５及び図６において、図１〜図４に示すものと同等のものには、同一の符号を付して詳細な説明を省略する。
【００２１】
実施の形態３の電磁接触器３００が実施の形態２の電磁接触器２００と異なるところは、アークカバー３の縦壁間カバー３ｃの落し穴３ｉの前方の前面カバー３ａに開口３ｊを設けていることである。
【００２２】
実施の形態３の電磁接触器３００によれば、微小異物がアークカバー３の縦壁間カバー３ｃの上方から縦壁間カバー３ｃの外面３ｆ上に落下すると、その微小異物は、傾斜面３ｇ、３ｇ、３ｇにより縦壁間カバー３ｃの中央部に移動し、傾斜溝３ｈに落下し、傾斜溝３ｈ内を移動して落し穴３ｉに落ち、開口３ｊから外部に排出される。従って、縦壁間カバー３ｃの側部３ｄと縦壁２ａの溝２ｅとの間、及び、端子１ｂの中央側端部１ｅと縦壁間カバー３ｃの先端部３ｅとの間に微小隙間があっても、電磁接触器３００の振動等によって、微小異物が微小隙間を通って電磁接触器内に入り込むことはなく、より確実に、接点１ｄ、５ｄの導通不良や電磁石の動作不良の発生を低減することができる電磁接触器３００が得られるという効果を奏する。
【００２３】
実施の形態４．
図７は、本発明にかかる電磁接触器の実施の形態４を示す接触子部分の断面図である。図７において、図１〜図６に示すものと同等のものには、同一の符号を付して詳細な説明を省略する。
【００２４】
実施の形態４の電磁接触器４００が実施の形態３の電磁接触器３００と異なるところは、アークカバー３の前面カバー３ａの開口３ｊを粘着シール９で塞いでいることである。
【００２５】
実施の形態４の電磁接触器４００によれば、微小異物がアークカバー３の縦壁間カバー３ｃの上方から縦壁間カバー３ｃの外面３ｆ上に落下すると、その微小異物は、傾斜面３ｇ、３ｇ、３ｇにより縦壁間カバー３ｃの中央部に移動し、傾斜溝３ｈに落下し、傾斜溝３ｈ内を移動して落し穴３ｉに落ち、開口３ｊの粘着シール９に捕獲される。従って、縦壁間カバー３ｃの側部３ｄと縦壁２ａの溝２ｅとの間、及び、端子１ｂの中央側端部１ｅと縦壁間カバー３ｃの先端部３ｅとの間に微小隙間があっても、電磁接触器４００の振動等によって、微小異物が微小隙間を通って電磁接触器内に入り込むことはなく、より確実に、接点１ｄ、５ｄの導通不良や電磁石の動作不良の発生を低減することができる電磁接触器４００が得られるという効果を奏する。
【００２６】
実施の形態５．
図８は、本発明にかかる電磁接触器の実施の形態５を示す接触子部分の断面図であり、図９は、図８のII−II線に沿う断面図である。図８及び図９において、図１〜図３に示すものと同等のものには、同一の符号を付して詳細な説明を省略する。
【００２７】
実施の形態５の電磁接触器５００が実施の形態１の電磁接触器１００と異なるところは、アークカバー３の縦壁間カバー３ｃの上面（外面）３ｆに、矩形の浅い凹部３ｋが設けられ、凹部３ｋの側方縁部３ｍ、３ｍが、縦壁２ａに設けられた前後方向の溝２ｅ、２ｅ内に入り込み、前方縁部３ｎが端子１ｂの中央側端部１ｅの奥へ入り込んでいることである。
【００２８】
実施の形態５の電磁接触器５００によれば、微小異物がアークカバー３の縦壁間カバー３ｃの上方から縦壁間カバー３ｃの外面３ｆ上に落下するとき、側方縁部３ｍ、３ｍ及び前方縁部３ｎ上に落下することはなく、凹部３ｋ内に落下する。従って、側方縁部３ｍ、３ｍと縦壁２ａの溝２ｅとの間、及び、端子１ｂの中央側端部１ｅと前方縁部３ｎとの間に微小隙間があっても、電磁接触器５００の振動等によって、微小異物が微小隙間を通って電磁接触器内に入り込むことはなく、接点１ｄ、５ｄの導通不良や電磁石の動作不良の発生を低減することができる電磁接触器５００が得られるという効果を奏する。
【００２９】
なお、実施の形態１において、図示はしないが、傾斜溝３ｈの前方の前面カバー３ａに傾斜溝３ｈと連通する開口を設けてもよい。また、実施の形態５において、図示はしないが、凹部３ｋの前方の前面カバー３ａに凹部３ｋと連通する開口を設けてもよい。さらに、これらの開口を粘着シール９で塞いでもよい。また、電磁接触器１００〜５００は、ハウジング２が少なくとも２枚の縦壁（外壁２ｇ）を有する単相の電磁接触器であってもよい。
【産業上の利用可能性】
【００３０】
以上のように、本発明にかかる電磁接触器は、作業環境が悪い現場で組立られる制御機器等に使用される電磁接触器として有用であり、また、粉塵等が多い環境下で稼働する制御機器等に使用される電磁接触器として適している。
【図面の簡単な説明】
【００３１】
【図１】本発明にかかる電磁接触器の実施の形態１を示す接触子部分の斜視図である。
【図２】図１のＩ−Ｉ線に沿う断面図である。
【図３】図１のII−II線に沿う断面図である。
【図４】本発明にかかる電磁接触器の実施の形態２を示す接触子部分の断面図である。
【図５】本発明にかかる電磁接触器の実施の形態３を示す接触子部分の斜視図である。
【図６】図５のＩ−Ｉ線に沿う断面図である。
【図７】本発明にかかる電磁接触器の実施の形態４を示す接触子部分の断面図である。
【図８】本発明にかかる電磁接触器の実施の形態５を示す接触子部分の断面図である。
【図９】図８のII−II線に沿う断面図である。
【符号の説明】
【００３２】
１  固定接触子
１ａ  本体部
１ｂ  端子
１ｄ  固定接点
１ｅ  中央側端部
２  ハウジング
２ａ  仕切壁（縦壁）
２ｂ  縦壁間空間
２ｅ  溝
２ｆ  接点開閉空間
２ｇ  外壁（縦壁）
３  アークカバー
３ａ  前面カバー
３ｂ  係止部
３ｃ  縦壁間カバー
３ｄ  側部
３ｅ  先端部
３ｆ  上面
３ｇ  傾斜面
３ｈ  傾斜溝
３ｉ  落し穴
３ｊ  開口
３ｋ  凹部
３ｍ  側方縁部
３ｎ  先端縁部
５  可動接触子
５ｄ  可動接点
７  接触ばね
８  クロスバー
９  粘着シール
【図１】
2006310184.tif 000003
【図２】
2006310184.tif 000004
【図３】
2006310184.tif 000005
【図４】
2006310184.tif 000006
【図５】
2006310184.tif 000007
【図６】
2006310184.tif 000008
【図７】
2006310184.tif 000009
【図８】
2006310184.tif 000010
【図９】
2006310184.tif 000011